(57)【要約】【課題】建設業の工事現場において、様々な要因によって材料の不足が発生した際に、今までは欲しい材料を取り扱っている店舗を探すために時間を費やしてしまい、その分本来の仕事に専念することができず、非常に効率が悪かった。これを改善できることを特徴とするシステムを構築し提供する。【解決手段】建設業において、職種を問わずに必要と思われる材料を取り扱っている店舗の情報をデータベースサーバー２０２に蓄積し、それを検索できるウェブサイト２０４を運営する。一方、現場で必要な材料が発生した場合、携帯等の情報端末機器３０１等でこのウェブサイトに接続し検索要求することによって、欲しい材料を取り扱っていて尚且つ営業中の店舗の情報等を、自分のいる位置から近い店舗から順に得ることができる。【選択図】図３
2006323794.tif 000002
【特許請求の範囲】
【請求項１】
被案内者であるユーザーが所有する、携帯電話機等のインターネット環境に接続することが可能な情報端末装置を使用し、ウェブサイト上にて所要の操作を行い、ユーザーが探している商品条件とユーザーの指定する位置情報等を入力し発信した検索要求に基づいて、ウェブサイトを介して接続されたサーバーコンピューターがデータベース内に蓄積されている登録店舗情報内から検索し検出した、商品条件を満たしていて尚且つその時点で営業している店舗の情報をユーザーの指定した位置情報に近い店舗から順に数件ずつの単位で、ユーザーの所有する情報端末装置へ表示することを特徴とする店舗情報検索サービスシステム。
【請求項２】
前記登録店舗情報とは、店舗名・住所・電話番号・業種・商品の取扱い状況の情報・営業時間・営業日・本サービスに登録して利用しているユーザーに対する割引情報・駐車場の有無や店舗所在地へのアクセス情報等を含んだものであり、情報の内容は登録店舗の自己評価及び自己申告（自己店舗情報）を基にしてデータベースへと入力し蓄積されたものである。これらの情報の中から検索条件となりうる項目を抽出して特化することにより操作内容の簡易化を図り、より幅広い年齢層のユーザーが使いやすい検索を可能としたことを特徴とする請求項１記載の店舗情報検索サービスシステム。
【請求項３】
前記自己店舗情報とは、データベースへ情報を蓄積するために、各登録店舗自身の自己評価及び自己申告により、ウェブサイト運営側へと提供された情報であり、店舗数が多く情報量が膨大な量になってしまうため、各店舗からの提供手段はインターネット環境等を通じて、ウェブサイト運営側の用意したテキストデータかもしくはメール等で提供されるものとする。これらの情報を基にして入力され蓄積されたデータベースの情報を利用することにより、より広い範囲の情報の蓄積を可能としたことを特徴とする請求項１記載の店舗情報検索サービスシステム。
【発明の詳細な説明】
【技術分野】
【０００１】  この発明は、建設業に関する材料を取り扱う店舗の情報を検索する店舗情報検索システムであって、主としてインターネット環境に接続可能な、携帯電話等情報端末機器のユーザー（被案内者）が簡単な操作によって、ウェブサイト運営側施設のサーバーコンピューターを通して検索され表示された店舗情報により、効率的な材料の入手に役立つ、店舗情報の検索システムに関する。
【背景技術】
【０００２】  建設業は『衣食住』のひとつを構成する『住』そのものに大きくかかわる業界であり、建設関係の仕事に携わる人々は日本全国の各地域で見ることができる。一言に建設業と言っても、その仕事に携わる職種は多岐にわたる。例えば、建設業の代表的な仕事に思われがちな『大工さん』も、建設業の中の職別工事業と呼ばれる分類の中の１業種に過ぎない。【０００３】  職別工事業とは所謂『箱物』を作る仕事であり、大工の他にも、とび・土工・コンクリート・鉄骨・鉄筋・石工・れんが・タイル・ブロック・左官・屋根・板金・塗装・建具・防水・内装などの業種が含まれている。職別工事業の他には電気や水周りや空調等の『生活する時に必要な各種設備工事』を行う設備工事業があり、設備工事業には電気・電気通信・さく弁・熱絶縁・機械器具設置・消防施設・管などの業種が含まれている。図１はこれらについて簡単に示したものである。尚、これらの分類は総務省統計局の統計データを参考にしている。
【非特許文献１】総務省統計局  「日本の統計２００５」
前記分類はおおまかな分け方であり、実際にはこれらの業種も仕事内容によって更に細い職種に分かれている。一例をあげると、図１に簡単に示してあるが、管工事業の中にはガス・衛生・空調・換気工事等が含まれており、これらは１つの業者が全てを施工できる場合もあるが、殆どの場合、水周り工事は衛生（主に「設備屋」「水道屋」と呼ばれる）、空調工事は空調（主に「空調屋」「エアコン屋」と呼ばれる）といった具合に、１つの業者が１つの職種を専門とする場合が多い。【０００４】  そして、これら各職種の業者が集まって各々の専門の仕事を行うことによって建設現場は進捗していくのであるが、これは特別な話ではなく、規模の大小にかかわらず建設業界全体がこの形で構成されていると言っても過言ではない。つまり、小さな工務店の仕事であっても、大手ゼネコンと呼ばれるような大規模な建設会社の仕事であっても、個々の仕事については殆どの場合、それぞれ専門の業者が施工を行っている。図２はこれらの形態の一例を図に示したものである。【０００５】  また、店舗営業のように常に決まった場所で仕事を行うことはなく、その業者ごとに距離の違いはあるとはいえ、各地の現場に出張して仕事を行う場合が殆どである。仕事を行う上で必要な材料等は、大体の場合、地元の取引店舗（材料屋）で前もって用意をしておいてから現場へと搬送し、それをもって施工を行う。【０００６】  しかし、準備の際の見落としや材料の積み込み忘れ、現場での追加工事や変更工事の発生等により材料の不足が発生した場合は、地元の取引店舗まで材料を取りに行くか、もしくは現地の材料屋で不足分を購入して間に合わせるのだが、殆どの場合は、現場が地元から遠く離れていることが多く、現地で最寄りの店舗を探す選択をする場合が多い。
【発明の開示】
【発明が解決しようとする課題】
【０００７】  従来の方法だと、建設関係の各業者は突発的に発生した材料不足という需要に対して、いざ自力で材料を探そうとしても、土地鑑のない不案内な土地で要望に沿う内容の材料を取り扱っている店舗を見つけることは難しく、店舗を探すだけで数時間を無駄に浪費してしまったり、店舗を発見できても休業日であったり、その店舗に探している材料がない場合も多く、結果として何軒も店舗を探しまわり多大な時間を浪費してしまう場合が多かった。【０００８】  また、各業者は自分たちの職種の材料を取り扱う店舗（電気屋であれば「電材屋」等）しか探せない（気付かない）場合も多く、実際には往復１０分の距離に欲しい材料を取り扱っている店舗（例えば「管材屋」等）があるにもかかわらず、その情報を得る手段がないために気付くことができずに数時間かけて電材屋を探したりと、非効率な行動によって時間を浪費してしまう場合も多かった。【０００９】  そこで、この発明は、業種の垣根をなくし建設業全体の材料屋の中から欲しい材料を取り扱っている店舗の検索を可能にすることによって、効率の良い材料入手を可能にし、各業種の仕事の高効率化を図るための、店舗検索システムを提供することを課題とする。
【課題を解決するための手段】
【００１０】  以上の課題を解決するために、第一発明は、被案内者であるユーザーが所有する、携帯電話機等のインターネット環境に接続することが可能な情報端末装置を使用し、ウェブサイト上にて所要の操作を行い、ユーザーが探している商品条件とユーザーの指定する位置情報等を入力し発信した検索要求に基づいて、ウェブサイトを介して接続されたサーバーコンピューターがデータベース内に蓄積されている登録店舗情報内から検索し検出した、商品条件を満たしていて尚且つその時点で営業している店舗の情報をユーザーの指定した位置情報に近い店舗から順に数件ずつの単位で、ユーザーの所有する情報端末装置へ表示することを特徴とする店舗情報検索サービスシステムである。【００１１】  また、第二発明は、店舗名・住所・電話番号・業種・商品の取扱い状況の情報・営業時間・営業日・本サービスに登録して利用しているユーザーに対する割引情報・駐車場の有無や店舗所在地へのアクセス情報等を含んだ店舗情報を、登録店舗の自己評価及び自己申告（自己店舗情報）を基にしてデータベースへと入力し蓄積された登録店舗情報の中から検索条件となりうる項目を抽出して特化することにより操作内容の簡易化を図り、より幅広い年齢層のユーザーが使いやすい検索を可能としたことを特徴とする店舗情報検索サービスシステムである。【００１２】  また、第三発明は、データベースへ情報を蓄積するために、各登録店舗自身の自己評価及び自己申告により、ウェブサイト運営側へと提供された自己店舗情報を、店舗数が多く情報量が膨大な量になってしまうため、各店舗からの提供手段をインターネット環境等を通じて、ウェブサイト運営側の用意したテキストデータかもしくはメール等で提供されるものとし、これらの情報を基にして入力され蓄積されたデータベースの情報を利用することにより、より広い範囲の情報の蓄積を可能としたことを特徴とする店舗情報検索サービスシステムである。
【発明の効果】
【００１３】  第一発明、または第二発明によれば、簡易な操作での店舗検索を可能としたシステムを提供したので、欲しい材料と現在位置の情報等を入力し検索することによって、自分がいる地点から近いエリアにある店から順に、欲しい材料を取り扱っていて、尚且つ営業中の店舗の情報を得ることができるようになる。
第三発明によれば、インターネット環境を通して提供された情報を基に蓄積されたデータベース情報を利用することにより、業種の垣根をのぞいた広い範囲での店舗情報を得ることができるようになる。
【発明を実施するための最良の形態】
【００１４】  以下、本発明の実施形態について、図面を参照して説明する。
１．この発明の店舗情報検索サービスシステムのシステム全体構成図を、図３に示す。
始めに、ユーザーが検索システムを利用するまでの手順を説明すると、各登録店舗は、それぞれが所持するインターネット接続可能な情報端末機器１０１・１０２・１０３から、運営側の窓口となる情報端末機器２０１に対して、自己店舗情報を回線Ａ１・Ａ２・Ａ３を通じて送信する。運営側は２０１に寄せられた情報を、施設内ネットワークＢ１を利用してデータベースサーバー２０２に対して入力し、２０２内に登録店舗情報を蓄積する。
運営側はウェブサイトサーバー２０３によって、検索用ウェブサイト２０４をインターネット上に立ち上げ、利用登録をした会員（ユーザー）が検索機能等を利用できるようにする。【００１５】  インターネットに接続可能な情報端末機器３０１・３０２・３０３を所持しているユーザー側のうち、３０１を所持している人がインターネット回線Ｃ１を利用してウェブサイト２０４へとアクセスし、ウェブサイト２０４内で利用会員登録を行うと、その情報は施設内ネットワークＢ２・Ｂ３を通してデータベースサーバー２０２へと記録され、会員情報として蓄積される。以後、ユーザー３０１がウェブサイト２０４へとアクセスするごとに、３０１のユーザー認証が施設内ネットワークＢ２・Ｂ３・Ｂ４・Ｂ５を通して行なわれる。ユーザー認証を確認された３０１は会員登録されている期間中、常にウェブサイト２０４内の各機能を利用回数に関係なく利用することが可能となる。この場合、会員登録を行っていない情報端末機器３０２・３０３の所有者は、ユーザーとしての認証を得られないため、インターネット回線Ｃ２・Ｃ３を利用してウェブサイト２０４のトップページへのアクセスはできても、会員登録を行わない限りそれ以上の機能は殆ど利用することができない。【００１６】  次に、ユーザーが検索システムを利用する際の流れを説明すると、ユーザー登録をした情報端末機器３０１の所有者が、ウェブサイト２０４へとアクセスし、店舗検索画面へと移動し、探している材料の情報（商品情報）と位置情報等を入力し検索を行なうと、施設内ネットワークＢ２を通してウェブサイトサーバー２０３へと検索要求が行なわれ、要求を受けたウェブサイトサーバー２０３は施設内ネットワークＢ３を通してデータベースサーバー２０２へと接続し、検索要求に沿った内容の情報検索が行なわれる。検出された店舗情報は施設内ネットワークＢ４を通してウェブサイトサーバー２０３へと送られ、ウェブサイトサーバー２０３は施設内ネットワークＢ５を通じてウェブサイト２０４内の検索結果表示画面へ送られた店舗情報は、情報端末機器３０１の画面で確認することが可能となる。【００１７】  尚、情報端末機器３０１の画面に表示される情報の内容は、最初は店舗一覧画面にて数件表示され、店舗名・住所・営業状態などの簡易的な紹介画面となっているが、ユーザーがその店舗を選択することにより、詳細情報の画面に移行することができる。詳細情報とは、店舗名・住所・電話番号・業種・商品の取扱い状況の情報・営業時間・営業日・本サービスに登録して利用しているユーザーに対する割引情報・駐車場の有無や店舗所在地へのアクセス情報等であり、そういった情報に何件かの店舗情報に目を通した後、ユーザーが仮に店舗Ａの情報に興味を持った場合、通常の電話回線Ｄを利用して店舗Ａの所持する電話機１０４に対して電話をかけて直接内容を確認することが可能であり、通話を終了した際は再度ウェブサイトの店舗情報画面に戻るので、続けて他の店舗の情報を閲覧することが可能である。また、最初に表示された一覧の中に意に適う店舗が無かった場合は、次の数件を表示することができる。【００１８】  ２．ユーザー登録をしてある情報端末機器（図３の３０１）がウェブサイト２０���に接続した際に表示される『メニュー画面』の一例を図４に示す。仮に今、ユーザー（図３の３０１の所有者）が「ボルト」という材料を探しているとする。ユーザーが『メニュー画面（図４）』で「店舗を検索する」ボタン３を押すと、図６に示す『情報入力画面』へと移行することができる。次に休業日の店舗情報を表示するかどうかを選択し、続けて住所（位置情報）の入力方法を選択する。中央の「住所を入力する」ボタン１５を選択して押すと、図７『住所入力画面』へと移行するので、住所入力欄１７に住所（位置情報）を入力し、進行ボタン１８を押す。【００１９】  すると図８『検索分野選択画面』へと進むので、今回は「金物・工具系を検索」ボタン２０を押す。尚、ボルトのようにどの分野の仕事でも使われることが多い材料は別の分野で検索を行っても探し出すことが可能だが、ここでは一例としてこのボタンを選択したことにする。
ボタン２０を押すと『金物・工具系分類選択画面』２３へとスキップするので、ここでは「金物検索」ボタン２４を押して、図９『金物分類検索画面』２８へとスキップする。すると、データベースサーバー（図３の２０２）に蓄積されているこの分野分類の材料の一覧が表示されるので、探している材料（この場合は「ボルト」）に選択枠６５を持っていき決定キーを押すとチェック欄６４に選択表示（この場合は◎）が表示されるので、この状態で内容を確認し間違いがなければ「検索」ボタン２９を押すことによって、選択要求が運営側サーバーへと送信される。【００２０】  検索要求に基づいてデータベースサーバーの店舗情報から検出された情報は図１２『店舗一覧画面』に表示される。この場合表示される情報は、ユーザーが探している材料（「ボルト」）を取り扱っており尚且つ指定した住所から近い店舗の一覧である。また、先の選択で「休業中の店舗も表示する」を選んでいる（図６の１２）ため、ここでは営業中・休業中を問わず表示されている。尚、営業中の店舗は文字が濃く表示され、休業中の店舗は文字が薄く表示されるようになっている。【００２１】  一覧表示された店舗の中から、営業中である「東金物」の情報を得るため、選択枠４７を「東金物」の欄に合わせ、決定キーを押す。すると図１３『店舗紹介画面』へと移行するので、ここで住所や電話番号等の情報を得ることができる。取扱い品目の情報はここには表示されていないが、店舗によって情報量が異なるため別の画面にて表示されるようになっているので、この画面の「取扱い品目を見る」ボタン５７を押すことによって図１４『取扱い品目画面』へと移行し内容を確認することができるようになっている。【００２２】  この『店舗紹介画面（図１３）』からは、他にも割引情報や地図情報等も必要に応じて閲覧できるようになっている（店舗側が割引等を望まない場合はボタンの表示もしない）。尚、各画面の「電話ボタン」５０を選択することによって、直接店舗へと電話をかけることが可能であり、商品の在庫状況などの詳細情報を問い合わせることができるようになっている。通話を終えた後は、再び元の画面に戻るので、そこから続けて検索を行うことが可能である。【００２３】  これら各画面は、情報端末機器本体についているカーソルキーを押すことによってスクロール等を行うが、各種復帰ボタン７・２７・５９等を押すことにより各々に設定されたアクションに応じて画面を数手順前に戻すことが可能であり、効率の良い検索ができるようになっている。【００２４】  尚、これらの実施形態は可能な形態の一例であり、この発明を説明するための必要性があって記載したものであり、形態をこれ一つだけに限定するものではない。また、本明細書中にて使用している各用語や名称も包括的および説明的意味で用いられているだけであり、限定を目的とはしていない。【００２５】「実施形態の効果」
この実施形態によれば、会員登録後のユーザーが簡単な操作を行なう（基本的には選択したボタンを押していく）だけで、自分が探している材料を扱っていて尚且つその時点で営業している店舗の情報を、自分が現在いる位置から近い順に数件ずつ得ることが可能である。もしも、その数件の中に要望に沿う情報がなかったとしても、続けて次の数件を表示することによって、（徐々に自分のいる位置からは離れていくが）他の店舗情報を見ることができる。
これにより、材料入手に無駄な時間を浪費することもなくなり、効率良く仕事を進めることができるようになる。【００２６】「他の実施形態」
図３の実施形態では、建設現場での需要を想定しユーザー側の情報端末機器は携帯電話等であったが、他の実施携帯では、ノートブック型パソコン等他の情報端末機器でも良い。
【図面の簡単な説明】
【００２７】
【図１】従来技術を説明するために示した、建設業の分類や業種・職種等の構造を簡単に表した図である。
【図２】従来技術を説明するために示した、仕事の受注から施工までの流れを規模ごとに簡単に表した図である。
【図３】この発明の一実施形態の構成例を示した店舗情報検索サービスシステムのシステム全体図である。
【図４】この発明の一実施形態における情報端末機器の画面の表示例を示した『メニュー画面』図である。
【図５】この発明の一実施形態における情報端末機器の画面の表示例を示した『未登録店舗紹介画面』図である。
【図６】この発明の一実施形態における情報端末機器の画面の表示例を示した『情報入力画面』図である。
【図７】この発明の一実施形態における情報端末機器の画面の表示例を示した『住所入力画面』図である。
【図８】この発明の一実施形態における情報端末機器の画面の表示例を示した『検索分野選択画面』及び『金物・工具系分類選択画面』図である。
【図９】この発明の一実施形態における情報端末機器の画面の表示例を示した『金物分類検索画面』図である。
【図１０】この発明の一実施形態における情報端末機器の画面の表示例を示した『建築材料系分類選択画面』図である。
【図１１】この発明の一実施形態における情報端末機器の画面の表示例を示した『設備材料系分類選択画面』図である。
【図１２】この発明の一実施形態における情報端末機器の画面の表示例を示した『店舗一覧画面』図である。
【図１３】この発明の一実施形態における情報端末機器の画面の表示例を示した『店舗紹介画面』図である。
【図１４】この発明の一実施形態における情報端末機器の画面の表示例を示した『取扱い品目画面』図である。
【図１５】この発明の一実施形態における情報端末機器の画面の表示例を示した『割引説明画面』図である。
【符号の説明】
【００２８】１０１  登録店舗側施設の情報端末機器（この場合は店舗Ａ）
１０２  登録店舗側施設の情報端末機器（店舗Ａとは別店舗）
１０３  登録店舗側施設の情報端末機器（店舗Ａとは別店舗）
１０４  登録店舗側施設の固定電話（この場合は店舗Ａ）
Ａ１  登録店舗側情報端末機器１０１と窓口情報端末機器２０１の間の回線
Ａ２  登録店舗側情報端末機器１０２と窓口情報端末機器２０１の間の回線
Ａ３  登録店舗側情報端末機器１０３と窓口情報端末機器２０１の間の回線
２０１  ウェブサイト運営側施設の登録店舗側への窓口となる情報端末機器
２０２  ウェブサイト運営側施設のデータベースサーバー
２０３  ウェブサイト運営側施設のウェブサイトサーバー
２０４  ウェブサイト運営側が運営する検索サービス用ウェブサイト
Ｂ１  情報端末機器２０１とデータベースサーバー２０２を接続する運営側施設内ネットワーク
Ｂ２  ウェブサイト２０４とウェブサイトサーバー２０３を接続する運営側施設内ネットワーク（本来は同一のものだが、この場合、説明の必要上２０４から２０３への処理の流れを表現している）
Ｂ３  データベースサーバー２０２とウェブサイトサーバー２０３を接続する運営側施設内ネットワーク（この場合、説明の必要上２０３から２０２への処理の流れを表現している）
Ｂ４  データベースサーバー２０２とウェブサイトサーバー２０３を接続する運営側施設内ネットワーク（この場合、説明の必要上２０２から２０３への処理の流れを表現している）
Ｂ５  ウェブサイト２０４とウェブサイトサーバー２０３を接続する運営側施設内ネットワーク（本来は同一のものだが、この場合、説明の必要上２０３から２０４への処理の流れを表現している）
３０１  ユーザー（この場合会員）側が所有する携帯等の情報端末機器
３０２  ユーザー（この場合非会員）側が所有する携帯等の情報端末機器
３０３  ユーザー（この場合非会員）側が所有する携帯等の情報端末機器
Ｃ１  情報端末機器３０１とウェブサイト２０４を接続するインターネット回線
Ｃ２  情報端末機器３０２とウェブサイト２０４を接続するインターネット回線
Ｃ３  情報端末機器３０３とウェブサイト２０４を接続するインターネット回線
Ｄ  情報端末機器３０１から店舗Ａ施設の固定電話Ａへ電話をかけた場合の一般電話回線を表す
１  ウェブサイト名（説明の必要上、仮名称を使用）
２  操作方法や画面名の説明や指示などを表示する欄（ここで使用されている点線は目立つ色で点滅している状態を表している）
３  「店舗を検索する」ボタン。押すと『情報入力画面』（図６）に移行する
４  「店舗を紹介する」ボタン。押すと『未登録店舗紹介画面』（図５）に移行する
５  「アンケートに答える」ボタン。押すと『アンケート画面』に移行する
６  「ご意見・ご感想はこちら」ボタン。押すと運営側へのメールフォーム画面に移行する
７  「メニュー画面に戻る」ボタン。押すと『メニュー画面』に移行する
８  『未登録店舗紹介画面』内の店舗名入力欄
９  『未登録店舗紹介画面』内の住所入力欄
１０  『未登録店舗紹介画面』内の（紹介者の主観による）業種入力欄
１１  「送信する」ボタン。押すとこの画面で入力した内容を運営側へ送信する
１２  営業時間外の店舗も表示したい場合はこちらにチェックを入れる。初期状態はこちらにチェックが入っている
１３  営業中の店舗のみ表示したい場合はこちらにチェックを入れる
１４  「現在地情報を送信」ボタン。押すと確認後位置情報を運営側へと送信する
１５  「住所を入力」ボタン。押すと『住所入力画面』（図７）へと移行する
１６  「郵便番号を入力」ボタン。押すと『郵便番号入力画面』へと移行する
１７  『住所入力画面』内の住所入力欄
１８  「次へ」ボタン。押すと『検索分野選択画面』（図８）へと移行する
１９  「情報入力画面へ戻る」ボタン。押すと『情報入力画面』（図６）へ移行する
２０  「金物・工具系を検索」ボタン。押すと『金物・工具系分類選択画面』トップ２３へとスキップする
２１  「建築系材料を検索」ボタン。押すと『建築材料系分類選択画面』（図１０）へとスキップする
２２  「設備系材料を検索」ボタン。押すと『設備材料系分類選択画面』（図１１）へとスキップする
２３  『金物・工具系分類選択画面』のトップ
２４  「金物検索」ボタン。押すと『金物分類検索画面』トップ２８へとスキップする
２５  「道具・工具検索」ボタン。押すと『道具・工具分類検索画面』トップ３４へとスキップする
２６  「その他検索」ボタン。押すと『その他分類検索画面』へとスキップする
２７  「ページトップ」ボタン。押すとスクロールしてきた画面の一番上（トップ）へとスキップする
２８  『金物分類検索画面』のトップ
２９  「検索する」ボタン。押すと検索要求が送信され、検出された情報を表示するために『店舗一覧画面』（図１２）へと移行する
３０  チェック欄。初期状態はここにチェックが入っている
３１  内容表示欄。特に材料を指定せずにこの業種の材料を取り扱っている店舗の検索をしたい時には、これに対応するチェック欄３１にチェックを入れた状態で検索ボタンを押せばよい
３２  チェック欄。探している材料を指定したい時には、ここにチェックを入れることによって検索範囲を狭めることができる
３３  内容表示欄。探している材料の項目があるかどうか、ここを見て判断する
３４  『道具・工具分類検索画面』のトップ
３５  『建築材料系分類選択画面』のトップ
３６  「木材検索」ボタン。押すと『木材分類検索画面』へとスキップする
３７  「建材検索」ボタン。押すと『建材分類検索画面』へとスキップする
３８  「塗装材検索」ボタン。押すと『塗装材分類検索画面』へとスキップする
３９  「その他検索」ボタン。押すと『その他分類検索画面』へとスキップする
４０  『設備材料系分類選択画面』のトップ
４１  「電材検索」ボタン。押すと『電材分類検索画面』へとスキップする
４２  「衛生材検索」ボタン。押すと『衛生材分類検索画面』へとスキップする
４３  「空調材検索」ボタン。押すと『空調材分類検索画面』へとスキップする
４４  「その他検索」ボタン。押すと『その他分類検索画面』へとスキップする
４５  店舗情報表示部。この場合、表示はされているが営業中ではないため薄い色の文字で表示されている。選択もできない
４６  店舗情報表示部。この場合、営業中なので濃い色の文字で表示されている。選択可能
４７  店舗選択枠。選択できる店舗情報が複数あった場合、選択している店舗には目立つ色で点滅表示の枠を表示し、視覚的にも分かりやすくしている
４８  ここに表示されている住所はあくまで目安のため、ここでは町名までの表示としている
４９  店舗名表示欄
５０  電話番号表示欄及び「電話」ボタン。押すと選択している店舗へ電話をかける画面へと移行する
５１  住所の表示欄。押すと『地図画面』へと移行するように設定も可能
５２  営業時間の表示欄
５３  休業日の表示欄
５４  その他情報の表示欄。パーキング情報等を記載する
５５  「割引情報を見る」ボタン。押すと『割引説明画面』（図１５）へと移行する
５６  「地図を表示する」ボタン。押すと『地図画面』へと移行する
５７  「取扱い品目を見る」ボタン。押すと『取扱い品目画面』（図１４）へと移行する
５８  店舗ＰＲ欄。店舗ごとの特色や一言を記載する
５９  「前の画面に戻る」ボタン。押すと一つ前の画面に移行。この場合は『店舗一覧画面』へと移行する
６０  取扱い品目の自己評価の目安
６１  取扱い品目に対する、店舗自身の自己評価を記号もしくは数字で表示する
６２  割引条件表示欄。ユーザーがこの画面を店舗側に提示し、尚且つここに記載されている条件を満たしている場合、次のサービス内容６３に記載されている割引サービス等をうけることができる
６３  サービス内容表示欄
６４  ユーザーが「ボルト」を探していると仮定し、選択した場合、このチェック欄に印が入る
６５  選択枠。この粋がついている状態で決定キーを押すと、左側のチェック欄に印が入る
【図１】
2006323794.tif 000003
【図２】
2006323794.tif 000004
【図３】
2006323794.tif 000005
【図４】
2006323794.tif 000006
【図５】
2006323794.tif 000007
【図６】
2006323794.tif 000008
【図７】
2006323794.tif 000009
【図８】
2006323794.tif 000010
【図９】
2006323794.tif 000011
【図１０】
2006323794.tif 000012
【図１１】
2006323794.tif 000013
【図１２】
2006323794.tif 000014
【図１３】
2006323794.tif 000015
【図１４】
2006323794.tif 000016
【図１５】
2006323794.tif 000017